(57)【要約】      （修正有）【課題】エア圧とＬＥＤ光を用いた発毛促進用頭部マッサージ機を提供する。【解決手段】エア圧とＬＥＤ光を用いた発毛促進用頭部マッサージ機は、ヘルメット、ＬＥＤ照射部２０、エアマッサージ部３０及びリモコン４０を含んでなる。エア圧とＬＥＤ光を用いた発毛促進用頭部マッサージ機は、前方ボディ、後方ボディ及び上部ボディによってヘルメット形態を持っており、頭に嵌めて簡単に着用するが、内周に前方３１、後方３４および左右側方３２、３３のエアバッグを設置してエアを選択的に供給することによりエアバッグが膨張する膨張圧によって頭の周りを均一に指圧しながらマッサージし、内側上部に赤色ＬＥＤ２１及び青色ＬＥＤ２２を配列設置して赤色光及び青色光を頭皮に照射することで、脱毛が集中する頭頂部の血液循環促進だけでなく、頭皮ケアによる発毛促進効果を大幅に向上させる。【選択図】図５
0003229608.tif 000002
【実用新案登録請求の範囲】
【請求項１】
前方ボディ（１１）、後方ボディ（１２）及び上部ボディ（１３）によって内部に頭を挿入して着用する着用空間部（１５）を形成するヘルメット（１０）と、
前記上部ボディの底面に赤色ＬＥＤ（２１）及び青色ＬＥＤ（２２）を配列して赤色光、青色光、または赤色光及び青色光を頭皮に照射するＬＥＤ照射部（２０）と、
前記前方ボディ（１１）と前記後方ボディ（１２）の内縁に前方エアバッグ（３１）、左右側方エアバッグ（３２、３３）および後方エアバッグ（３４）を設けて第１エアライン（３５）で前記前方エアバッグ（３１）と前記後方エアバッグ（３４）とを連結し、第２エアライン（３６）で前記左右側方エアバッグ（３２、３３）を連結することにより、エア供給によるエアバッグの膨張圧で頭の周りを指圧しながらマッサージするエアマッサージ部（３０）と、
前記エアマッサージ部と前記ＬＥＤ照射部を作動制御するように操作するリモコン（４０）と、を含んでなることを特徴とする、エア圧とＬＥＤ光を用いた発毛促進用頭部マッサージ機。
【請求項２】
前記ＬＥＤ照射部（２０）の前記赤色ＬＥＤ（２１）は、波長６４０ｎｍの赤色光を照射しながら皮膚細胞の再生、血液循環の促進、疼痛の軽減及び有効成分の活性化を提供し、前記青色ＬＥＤ（２２）は、波長４２３ｎｍの青色光を照射しながらニキビ菌の破壊、過剰皮脂分泌の調節、傷感染の予防及び肌トラブルの鎮静効能を提供することを特徴とする、請求項１に記載のエア圧とＬＥＤ光を用いた発毛促進用頭部マッサージ機。
【請求項３】
前記ヘルメット（１０）は、前記前方ボディ（１１）と前記後方ボディ（１２）との前後間隔及び前記上部ボディと前、後方ボディとの上下間隔の調整によって前記着用空間部（１５）の着用サイズを調整するために、前後方ボディの両側方に第１サイズ調整部（５１）、前記上部ボディの中央に第２サイズ調整部（５２）をさらに構成し；
前記第１サイズ調整部（５１）は、前、後方ボディの端部（１１ａ、１２ａ）を調整ケース（５５）の両側方で上下重畳して前後移動可能に内挿するが、前記端部に形成される長孔（１１ｂ、１２ｂ）の内側方に互いに対向位置にラチェットギア（１１ｃ、１２ｃ）を対向形成し、前記調整ケースの中央に軸設される調整ノブ（５６）の先端に、前記ラチェットギア（１１ｃ、１２ｃ）に噛合されるラチェットホイール（５７）を軸設して、前記調整ノブ（５６）の正、逆回転の調整によって、両端部が互いに対向方向に前後移動しながら前記前方ボディ（１１）と前記後方ボディ（１２）との前後間隔を調整し、
前記第２サイズ調整部（５２）は、前、後方ボディの両側方に連結されて上部に延長される左右延長ボディ（１６、１７）の端部（１６ａ、１７ａ）を前記調整ケース（５５′）の両側方で上下重畳して左右移動可能に内挿するが、前記左右延長ボディに形成される長孔（１６ｂ、１７ｂ）の内側方に互いに対向位置にラチェットギア（１６ｃ、１７ｃ）を対向形成し、前記調整ケースの中央に軸設される調整ノブ（５６）の先端に、前記ラチェットギア（１６ｃ、１７ｃ）に噛合されるラチェットホイール（５７）を軸設して、前記調整ノブ（５６）の正、逆回転の調整によって、前記左右延長ボディが互いに対向方向に左右移動しながら前記上部ボディ（１３）と前、後方ボディ（１１、１２）との上下間隔を調整するように構成したことを特徴とする、請求項１に記載のエア圧とＬＥＤ光を用いた発毛促進用頭部マッサージ機。
【考案の詳細な説明】
【技術分野】
【０００１】
本考案は、発毛促進用頭部マッサージ機に係り、さらに詳細には、ヘルメット形態で頭に簡単に着用するが、前方、後方および左右側方のエアバッグにエアを選択的に供給してエアバッグが膨張する膨張圧によって頭の周りを指圧しながらマッサージするようにするとともに、上部から赤色ＬＥＤ及び青色ＬＥＤによる赤色光及び青色光を頭皮に照射することで、脱毛が集中する頭頂部の血液循環促進だけでなく、頭皮ケアによる発毛促進を最大化する、エア圧とＬＥＤ光を用いた発毛促進用頭部マッサージ機に関する。
【背景技術】
【０００２】
周知の如く、人体の毛髪は、約１０万乃至５万個程度であって、「毛包」で形成される。前記毛包には毛乳頭が形成されているが、この部位に小さい血管が分布しており、毛髪の成長に必要な栄養分を供給し、毛乳頭の近くに毛脂線が形成されており、毛髪に潤いを与える油を供給する。
【０００３】
このような毛髪は、成長期（ａｎａｇｅｎ）、退行期（ｃａｔａｇｅｎ）、休止期（ｔｅｌｏｇｅｎ）を経て成長して脱落する。このサイクルを３乃至６年にわたって繰り返しながら、一日平均５０乃至１００本の毛髪が正常に脱落する。
【０００４】
一般に、脱毛症とは、成長期毛髪の割合が少なくなり、退行期または休止期毛髪が多くなることにより、脱落する毛髪の数が異常に多くなることをいう。
【０００５】
このような脱毛の原因は、ホルモンまたは皮脂の過剰分泌、血液の円滑な循環、過酸化物や細菌などによる頭皮機能低下、遺伝的要因、老化、ストレスなどにあると知られている。
【０００６】
このような脱毛治療のための方法として最も容易な方法は、薬を服用することであるが、これは、様々な副作用を引き起こすおそれがあるため、ユーザーの健康状態に応じてユーザーに有益でないことがあるという問題点があった。
【０００７】
また、脱毛をはじめとする各種の頭皮及び毛髪の異常を防止及び改善することのできるシャンプーなどのヘアケア製品が多数開示されているが、これらは、頭皮及び毛髪の改善効果が不十分であり、長時間の使用時に副作用を引き起こすおそれがあるという問題点があった。
【０００８】
また、頭皮マッサージ機やＬＥＤ刺激機などが開示されているが、頭皮マッサージ機は、マッサージ突起またはエアバッグによる膨張圧で頭皮をマッサージして血液循環を促進させ、ＬＥＤ刺激機は、ＬＥＤ光を頭皮に照射して頭皮を活性化させるので、発毛促進を図るものである。
【０００９】
ところが、前述した従来の頭皮マッサージ機やＬＥＤ刺激機は、ユーザーの頭部に着用して使用するのに不便さがあり、特に、ユーザーの頭のサイズに合わせてサイズを調整して使用するのに不便さがあった。
【００１０】
また、前記頭皮マッサージ機によって頭皮マッサージを行う際に、脱毛が主に激しく発生する頭頂部への血液循環を効果的に促進するために、頭の周りを均一にマッサージすることができなければならないが、従来の頭皮マッサージ機は、このように頭の周りを均一にマッサージすることができないため、頭頂部の頭皮への血液循環を効果的に促進するのに制約があった。
【００１１】
また、前記ＬＥＤ刺激機は、ユーザーが必要な色のＬＥＤ光を選択的に照射するか、或いはＬＥＤ光が照射される距離を調整して使用することができないため、頭皮の活性化に制約があった。しかも、前記ＬＥＤ刺激機と頭皮マッサージ機を一緒に使用することができないため、それぞれ購入して使用するので、非経済的であるのはもとより、非効率的であるという問題点があった。
【先行技術文献】
【特許文献】
【００１２】
【特許文献１】韓国登録特許第１０−０５８７２１９号公報
【特許文献２】韓国公開特許第１０−２０１７−０１３６３２５号公報
【特許文献３】韓国登録実用新案第２０−０４２９４７１号公報
【考案の概要】
【考案が解決しようとする課題】
【００１３】
本考案は、前述した従来技術の諸問題点を解決するためになされたもので、その目的は、ヘルメット形態で頭部に簡単に着用するが、前方、後方および左右側方のエアバッグにエアを選択的に供給してエアバッグが膨張する膨張圧によって頭の周りを指圧しながらマッサージするようにするとともに、上部から赤色ＬＥＤ及び青色ＬＥＤによる赤色光及び青色光を頭皮に照射することで、脱毛が集中する頭頂部の血液循環促進だけでなく、頭皮ケアによる発毛促進効果を最大化するようにすることにある。
【００１４】
本考案の他の目的は、前記ヘルメットの左右及び上下のサイズを調整して、ユーザーの頭の大きさに関係なく簡単に着用するようにするのはもとより、エアバッグによって頭の周りを指圧する指圧力を調整し、赤色ＬＥＤ及び青色ＬＥＤと頭皮との間隔を調整しながら使いやすさと一緒に発毛促進をさらに最大化するようにすることにある。
【課題を解決するための手段】
【００１５】
本考案は、前方ボディ、後方ボディ及び上部ボディによって内部に頭を挿入して着用する着用空間部を形成するヘルメットと、前記上部ボディの底面に赤色ＬＥＤ及び青色ＬＥＤを配列して赤色光、青色光、または赤色光及び青色光を頭皮に照射するＬＥＤ照射部と；前記前方ボディと前記後方ボディの内縁に前方エアバッグ、左右側方エアバッグおよび後方エアバッグを設けて第１エアラインで前方エアバッグと後方エアバッグとを連結し、第２エアラインで左右側方エアバッグを連結することにより、エア供給によるエアバッグの膨張圧で頭の周りを指圧しながらマッサージするエアマッサージ部と；前記エアマッサージ部と前記ＬＥＤ照射部を作動制御するように操作するリモコンと；を含んでなることにその特徴がある。
【００１６】
本考案によれば、前記ＬＥＤ照射部の赤色ＬＥＤは、波長６４０ｎｍの赤色光を照射しながら皮膚細胞の再生、血液循環の促進、疼痛の軽減及び有効成分の活性化を提供し、青色ＬＥＤは、波長４２３ｎｍの青色光を照射しながらニキビ菌の破壊、過剰皮脂分泌の調節、傷感染の予防及び肌トラブルの鎮静効能を提供することにその特徴がある。
【００１７】
本考案によれば、前記ヘルメットは、前方ボディと後方ボディとの前後間隔及び上部ボディと前、後方ボディとの上下間隔の調整によって着用空間部の着用サイズを調整するために、前後方ボディの両側方に第１サイズ調整部、上部ボディの中央に第２サイズ調整部をさらに構成し；前記第１サイズ調整部は、前、後方ボディの端部を調整ケースの両側方で上下重畳して前後移動可能に内挿するが、前記端部に形成される長孔の内側方に互いに対向位置にラチェットギアを対向形成し、前記調整ケースの中央に軸設される調整ノブの先端に、ラチェットギアに噛合されるラチェットホイールを軸設して、前記調整ノブの正、逆回転の調整によって、両端部が互いに対向方向に前後移動しながら前方ボディと後方ボディとの前後間隔を調整し；前記第２サイズ調整部は、前、後方ボディの両側方に連結されて上部に延長される左右延長ボディの端部を調整ケースの両側方で上下重畳して左右移動可能に内挿するが、前記左右延長ボディに形成される長孔の内側方に互いに対向位置にラチェットギアを対向形成し、前記調整ケースの中央に軸設される調整ノブの先端に、ラチェットギアに噛合されるラチェットホイールを軸設して、前記調整ノブの正、逆回転の調整によって、左右延長ボディが互いに対向方向に左右移動しながら上部ボディと前、後方ボディとの上下間隔を調整するように構成したことにその特徴がある。
【考案の効果】
【００１８】
このような本考案は、前方ボディ、後方ボディ及び上部ボディによってヘルメット形態を持っており、頭部に嵌めて簡単に着用するが、内周に前方エアバッグ、後方エアバッグ及び左右側方エアバッグを設置してエアを選択的に供給することによりエアバッグが膨張する膨張圧によって頭の周りを均一に指圧しながらマッサージし、内側上部に赤色ＬＥＤ及び青色ＬＥＤを配設して赤色光及び青色光を頭皮に照射することで、脱毛が集中する頭頂部の血液循環促進だけでなく、頭皮ケアによる発毛促進効果を大幅に向上させるようにする。
【００１９】
また、前記ヘルメットの着用サイズを第１、第２サイズ調整部の調整ノブの回転操作によって簡単に調整することにより、ユーザーの頭の大きさに関係なく簡単に着用するのはもとより、前記エアバッグが頭の周りを指圧する指圧力を調整し、前記赤色ＬＥＤ及び青色ＬＥＤを選択してＬＥＤが照射される頭皮との間隔を調整しながら、血液循環促進だけでなく、頭皮ケアによる発毛促進効果をさらに最大化する。
【図面の簡単な説明】
【００２０】
【図１】本考案の全体構成を示す斜視図である。
【図２】本考案の側面図である。
【図３】本考案の正面図である。
【図４】本考案の底面図である。
【図５】本考案のエアマッサージ部及びＬＥＤ照射部の要部構成を示す平面図である。
【図６】本考案のエアマッサージ部の作動状態を示す平面図である。
【図７】本考案の第１サイズ調整部を示す要部構成図である。
【図８】本考案の第１サイズ調整部を示す要部構成図である。
【図９】本考案の第２サイズ調整部を示す要部構成図である。
【考案を実施するための形態】
【００２１】
以下、前述した本考案の好適な実施形態を添付図面を参照して具体的に説明する。
【００２２】
本考案のエア圧とＬＥＤ光を用いた発毛促進用頭部マッサージ機は、図１乃至図９に示すように、ヘルメット１０、ＬＥＤ照射部２０、エアマッサージ部３０及びリモコン４０を含んでなる。
【００２３】
前記ヘルメット１０は、前方ボディ１１、後方ボディ１２及び上部ボディ１３によって内部に頭を挿入して着用する着用空間部１５を形成して構成する。
【００２４】
前記ヘルメット１０は、前方ボディ１１と後方ボディ１２との前後間隔及び上部ボディと前、後方ボディとの上下間隔の調整によって着用空間部１５の着用サイズを調整するために、前後方ボディの両側方に第１サイズ調整部５１、上部ボディの中央に第２サイズ調整部５２をさらに構成する。
【００２５】
前記第１サイズ調整部５１は、前、後方ボディの端部１１ａ、１２ａを、調整ケース５５の両側方で上下重畳して前後移動可能に内挿するが、前記端部に形成される長孔１１ｂ、１２ｂの内側方に互いに対向位置にラチェットギア１１ｃ、１２ｃを対向形成し、前記調整ケースの中央に軸設される調整ノブ５６の先端に、ラチェットギア１１ｃ、１２ｃに噛合されるラチェットホイール５７を軸設して、前記調整ノブ５６の正、逆回転の調整によって、両端部が互いに対向方向に前後移動しながら前方ボディ１１と後方ボディ１２との前後間隔を調整するように構成する。第２サイズ調整部５２は、前、後方ボディの両側方に連結されて上部に延長される左右延長ボディ１６、１７の端部１６ａ、１７ａを調整ケース５５′の両側方で上下重畳して左右移動可能に内挿するが、前記左右延長ボディに形成される長孔１６ｂ、１７ｂの内側方に互いに対向位置にラチェットギア１６ｃ、１７ｃを対向形成し、前記調整ケースの中央に軸設される調整ノブ５６の先端に、ラチェットギア１６ｃ、１７ｃに噛合されるラチェットホイール５７を軸設して、前記調整ノブ５６の正、逆回転の調整によって、左右延長ボディが互いに対向方向に左右移動しながら上部ボディ１３と前、後方ボディ１１、１２との上下間隔を調整するように構成する。
【００２６】
前記ＬＥＤ照射部２０は、上部ボディの底面に赤色ＬＥＤ２１及び青色ＬＥＤ２２を配列して赤色光、青色光、または赤色光及び青色光を頭皮に照射するように構成する。
【００２７】
この時、前記ＬＥＤ照射部２０の赤色ＬＥＤ２１から照射される赤色光は、６４０ｎｍの波長で皮膚細胞の再生、血液循環の促進、疼痛の軽減及び有効成分の活性化効能を提供し、青色ＬＥＤ２２から照射される青色光は、４２３ｎｍの波長でニキビ菌の破壊、過剰皮脂分泌の調整、傷感染の予防及び肌トラブルの鎮静効能を提供するもので、ユーザーが選択的に使用するように構成する。
【００２８】
前記エアマッサージ部３０は、前方ボディ１１と後方ボディ１２の内縁に前方エアバッグ３１、左右側方エアバッグ３２、３３および後方エアバッグ３４を設けて第１エアライン３５によって前方エアバッグ３１と後方エアバッグ３４を連結し、第２エアライン３６によって左右側方エアバッグ３２、３３を連結することにより、エア供給によるエアバッグの膨張圧で頭の周りを指圧しながらマッサージするように構成する。
【００２９】
前記リモコン４０は、エアマッサージ部の第１、第２エアライン３５、３６に連結されるエア発生部のエア供給有無を制御するとともに、前記ＬＥＤ照射部の赤色ＬＥＤ２１及び青色ＬＥＤ２２をオン／オフ作動制御するが、ユーザーが選択的に操作しながら使用することができるように構成する。
【００３０】
この時、前記リモコン４０に設定されている様々なプログラムをユーザーが選択することにより、選択されたプログラムによってＬＥＤ照射部２０及びエアマッサージ部３０の作動を制御するように構成する。
【００３１】
未説明符号３８は、後方エアバッグ３４の左右に突出するように結合され、頭の周りをさらに圧迫しながら指圧する指圧具を示す。
【００３２】
以下、上述したように構成される本考案の作動および作用について説明する。
【００３３】
まず、着用過程を説明すると、前方ボディ１１、後方ボディ１２及び上部ボディ１３によって形成されたヘルメット内部の着用空間部１５に頭を挿入して簡単に着用する。
【００３４】
この過程で、ユーザーの頭のサイズに応じてヘルメットの着用空間部１５のサイズを調整して着用する。
【００３５】
これは、ヘルメットの前、後方ボディ１１、１２の両側方に設けられた第１サイズ調整部５１の調整ノブ５６を正、逆回転調整することにより、前方ボディと後方ボディとの前後間隔を調整する。
【００３６】
すなわち、前記調整ノブ５６の回転調整によって、調整ノブのラチェットホイール５７に噛合されている前、後方ボディの端部１１ａ、１２ａのラチェットギア１１ｃ、１２ｃが互いに反対方向に前後移動して前、後方ボディの端部１１ａ、１２ａが互いに反対方向に前後移動しながら前方ボディ１１と後方ボディ１２との前後間隔を狭くまたは広く調整する。
【００３７】
また、前記ヘルメットの上部ボディ１３の上部中央に設けられた第２サイズ調整部５２の調整ノブ５６を正、逆回転調整することにより、上部ボディ１３と前、後方ボディとの上下間隔を調整する。
【００３８】
つまり、前記調整ノブ５６の回転調整によって、調整ノブのラチェットホイール５７に噛合されている左右延長ボディの端部１６ａ、１７ａのラチェットギア１６ｃ、１７ｃが互いに反対方向に左右移動して左右延長ボディの端部１６ａ、１７ａが互いに反対方向に左右移動しながら上部ボディ１３と前、後方ボディとの上下間隔を狭くまたは広く調整するのである。
【００３９】
このようにして、ユーザーの頭のサイズに合わせてヘルメット１０の着用空間部１５を調整して最適なサイズで着用するのである。
【００４０】
このように着用した後、ユーザーは、リモコン４０によって電源をオン作動させるとともに、設定されたプログラムを選択して作動させると、前記選択プログラムによってＬＥＤ照射部の赤色ＬＥＤ２１及び青色ＬＥＤ２２をオン／オフ制御するとともに、エアマッサージ部のエアバッグにコンプレッサーによってエアを供給してエアバッグを膨張させながら頭を指圧してマッサージする。
【００４１】
ここで、前記赤色ＬＤＥ２１及び青色ＬＥＤ２２は、上部ボディ１３の下面に配置されている赤色ＬＥＤ２１及び青色ＬＥＤ２２を選択的にオン／オフ作動させながら、前記赤色ＬＥＤ２１から照射される波長６４０ｎｍの赤色光が頭の上部中央の頭頂部に照射されることで、皮膚細胞の再生、血液循環の促進、疼痛の軽減及び有効成分の活性化効能を提供し、青色ＬＥＤ２２から照射される波長４２３ｎｍの青色光がニキビ菌の破壊、過剰皮脂分泌の調整、傷感染の予防及び肌トラブルの鎮静効能を提供する。
【００４２】
また、前記エアバッグによるマッサージ作動は、コンプレッサーから第１、第２エアライン３５、３６へエアを供給する。
【００４３】
前記第１エアライン３５に供給されるエアは、前、後方ボディ１１、１２の内縁から前、後方に位置する前方エアバッグ３１と後方エアバッグ３４へ供給してエアバッグを膨張するようにしながら、着用者の頭部の前方と後方を指圧してマッサージする。
【００４４】
また、前記第２エアライン３６に供給されるエアは、前、後方ボディ１１、１２の内縁から左右側方に位置する左右側方エアバッグ３２、３３へ供給してエアバッグを膨張するようにしながら、着用者の頭部の左右側方を指圧してマッサージする。
【００４５】
前記第１、第２エアライン３５、３６に同時にエアを供給することで、前、後方ボディ１１、１２の内縁から前方エアバッグ３１、後方エアバッグ３４及び左右側方エアバッグ３２、３３へ全て膨張しながら、着用者の頭部の前方、後方および左右側方を同時に指圧してマッサージすることもできる。
【００４６】
このように、本考案は、前記着用者の頭頂部部位の上方から赤色ＬＥＤ２１及び青色ＬＥＤ２２で赤色光または青色光を頭皮に照射するとともに、前、後方エアバッグ３１、３４及び左右側方エアバッグ３２、３３が膨張する膨張圧によって頭の周りを指圧しながらマッサージすることで、脱毛が集中する頭頂部の血液循環促進だけでなく、頭皮ケアによる発毛促進効果をさらに大幅に向上させる。
【００４７】
また、前記ヘルメット１０を第１、第２サイズ調整部５１、５２によってサイズ調整しながら、ユーザーの頭の大きさに関係なく簡単に着用するようにするのはもとより、エアバッグによって頭の周りを指圧する指圧力を調整し、前記赤色ＬＥＤ２１および青色ＬＥＤ２２を選択してＬＥＤが照射される頭皮との間隔を調整しながら、血液循環促進だけでなく、頭皮ケアによる発毛促進効果をさらに大幅に向上させる。
【符号の説明】
【００４８】
１０    ヘルメット
１１、１２    前、後方ボディ
１１ａ、１２ａ    前、後方ボディの端部
１１ｂ、１２ｂ、１６ｂ、１７ｂ    長孔
１１ｃ、１２ｃ、１６ｃ、１７ｃ    ラチェットギア
１３    上部ボディ
１５    着用空間部
１６、１７    左右延長ボディ
２０    ＬＥＤ照射部
２１、２２    赤色及び青色ＬＥＤ
３０    エアマッサージ部
３１    前方エアバッグ
３２、３３    左右側方エアバッグ
３４    後方エアバッグ
３５、３６    第１、第２エアライン
４０    リモコン
５１、５２    第１、第２サイズ調整部
５５、５５′    調整ケース
５６    調整ノブ
５７    ラチェットホイール
【図１】
0003229608.tif 000003
【図２】
0003229608.tif 000004
【図３】
0003229608.tif 000005
【図４】
0003229608.tif 000006
【図５】
0003229608.tif 000007
【図６】
0003229608.tif 000008
【図７】
0003229608.tif 000009
【図８】
0003229608.tif 000010
【図９】
0003229608.tif 000011